(57)【要約】【課題】透過型表示パネルを光路に備える光学ファインダユニットにおいて、表示パネルの位置調整に伴う塵の発生を抑制する。【解決手段】被写体の正立像を形成する第１プリズム３２と第２プリズム３３との間に透過型表示パネル２２が配置される光学ファインダユニット３は、透過型表示パネルの両表面の縁部を覆って透過型表示パネルを保持体４２により保持し、第１プリズムを保持する第１ケース４０と第２プリズムを保持する第２ケース４１との間で保持体を挟持し、第１ケースと第２ケースとの間で挟持された保持体を移動して透過型表示パネルの位置を調整し、透過型表示パネルの位置の調整が済んだ後に、透過型表示パネルを第１ケース及び第２ケースのうち一方のケースに固定する。【選択図】図５
2014063049.tif 000002
【特許請求の範囲】
【請求項１】
被写体の正立像を形成する第１プリズム部と第２プリズム部との間に透過型表示パネルが配置される光学ファインダユニットの製造方法であって、
前記透過型表示パネルを保持体によって保持し、
前記第１プリズム部と前記第２プリズム部との間で前記透過型表示パネルを保持した前記保持体を挟持して、前記透過型表示パネルと前記第１プリズム部及び前記第２プリズム部との非接触を維持し、
前記第１プリズムと前記第２プリズムとの間で挟持された前記保持体を移動して前記透過型表示パネルの位置を調整し、
前記透過型表示パネルの位置の調整が済んだ後に、該透過型表示パネルを前記第１プリズム部及び前記第２プリズム部のうち一方のプリズム部に固定する光学ファインダユニットの製造方法。
【請求項２】
請求項１に記載の光学ファインダユニットの製造方法であって、
前記保持体によって前記透過型表示パネルの表裏各面の縁部の少なくとも３箇所を覆う光学ファインダユニットの製造方法。
【請求項３】
請求項１又は２に記載の光学ファインダユニットの製造方法であって、
前記保持体によって前記透過型表示パネルの全ての側面を覆う光学ファインダユニットの製造方法。
【請求項４】
請求項１から３のいずれか一項に記載の光学ファインダユニットの製造方法であって、
前記透過型表示パネルが固定される前記一方のプリズム部と、前記保持体とには、互いに係合して該保持体の移動範囲を規制する規制部が設けられており、
前記規制部が係合した状態で該保持体を移動させて前記透過型表示パネルの位置を調整する光学ファインダユニットの製造方法。
【請求項５】
請求項１から４のいずれか一項に記載の光学ファインダユニットの製造方法であって、
前記第１プリズム部と前記第２プリズム部との間には、前記保持体の縁部の少なくとも一部を露呈させる開口が設けられ、
前記保持体には、前記開口に突出する操作部が設けられており、
前記操作部を操作することによって前記保持体を移動させて前記透過型表示パネルの位置を調整する光学ファインダユニットの製造方法。
【請求項６】
請求項５に記載の光学ファインダユニットの製造方法であって、
前記透過型表示パネルの位置の調整が済んだ後に、前記開口を通してエアを吹き付けて前記透過型表示パネルの表裏面の付着物を除去する光学ファインダユニットの製造方法。
【請求項７】
請求項１から６のいずれか一項に記載の光学ファインダユニットの製造方法であって、
前記第１プリズム部及び前記第２プリズム部は、分離可能に互いに組み付けられており、
前記保持体の固定が済んだ後に、前記第１プリズム部及び前記第２プリズム部を分離して前記透過型表示パネルの表裏面の付着物を除去する光学ファインダユニットの製造方法。
【請求項８】
請求項１から７のいずれか一項に記載の光学ファインダユニットの製造方法であって、
前記保持体は、弾性を有する金属板からなり、前記透過型表示パネルの側面を跨いで該透過型表示パネルの表裏両面に及んでおり、
前記保持体により、前記透過型表示パネルを表裏から挟持して該透過型表示パネルを保持する光学ファインダユニットの製造方法。
【請求項９】
請求項８に記載の光学ファインダユニットの製造方法であって、
前記保持体により、前記透過型表示パネルの少なくとも四隅を表裏から挟持して該透過型表示パネルを保持する光学ファインダユニットの製造方法。
【請求項１０】
請求項１から９のいずれか一項に記載の光学ファインダユニットの製造方法であって、
前記透過型表示パネルを前記一方のプリズム部に接着固定する光学ファインダユニットの製造方法。
【請求項１１】
請求項１から１０のいずれか一項に記載の光学ファインダユニットの製造方法によって製造された光学ファインダユニットを備えた撮像装置。
【請求項１２】
被写体の正立像を形成する第１プリズム部と第２プリズム部と、
前記第１プリズム部と前記第２プリズム部との間に配置される透過型表示パネルと、
前記透過型表示パネルを保持し、前記第１プリズム部と前記第２プリズム部との間で移動可能に挟持された保持体と、
を備え、
前記第１プリズム部及び前記第２プリズム部のうちの一方のプリズム部と、前記保持体とには、互いに係合して該保持体の移動範囲を規制する規制部が設けられており、
前記透過型表示パネルは、前記第１プリズム部及び前記第２プリズム部に対して所定の相対位置関係に調整された状態で、前記一方のプリズム部に固定されている光学ファインダユニット。
【請求項１３】
請求項１２に記載の光学ファインダユニットであって、
前記保持体は、前記透過型表示パネルの表裏各面の縁部の少なくとも３箇所を覆う光学ファインダユニット。
【請求項１４】
請求項１２又は１３に記載の光学ファインダユニットであって、
前記保持体は、前記透過型表示パネルの全ての側面を覆う光学ファインダユニット。
【請求項１５】
請求項１２から１４のいずれか一項に記載の光学ファインダユニットであって、
前記第１プリズム部と前記第２プリズム部との間には、前記保持体の縁部の少なくとも一部を露呈させる開口が設けられ、
前記保持体には、前記開口に突出する操作部が設けられている光学ファインダユニット。
【請求項１６】
請求項１５に記載の光学ファインダユニットであって、
前記開口は、前記透過型表示パネルの表裏面と前記第１プリズム部及び前記第２プリズム部との間の隙間に連通している光学ファインダユニット。
【請求項１７】
請求項１２から１６のいずれか一項に記載の光学ファインダユニットであって、
前記第１プリズム部及び前記第２プリズム部は、分離可能に互いに組み付けられている光学ファインダユニット。
【請求項１８】
請求項１２から１７のいずれか一項に記載の光学ファインダユニットであって、
前記保持体は、弾性を有する金属板からなり、前記透過型表示パネルの側面を跨いで該透過型表示パネルの表裏両面に及び、該透過型表示パネルを表裏から挟持する光学ファインダユニット。
【請求項１９】
請求項１８に記載の光学ファインダユニットであって、
前記保持体は、前記透過型表示パネルの少なくとも四隅を表裏から挟持する光学ファインダユニット。
【請求項２０】
請求項１２から１９のいずれか一項に記載の光学ファインダユニットであって、
前記透過型表示パネルは、前記一方のプリズム部に接着固定されている光学ファインダユニット。
【請求項２１】
請求項１２から２０のいずれか一項に記載の光学ファインダユニットを備えた撮像装置。
【発明の詳細な説明】
【技術分野】
【０００１】
本発明は、光学ファインダユニット並びにその製造方法、及び撮像装置に関する。
【背景技術】
【０００２】
カメラ等の撮像装置に搭載される光学ファインダユニットとして、ファインダユニットに入射する光の光路に液晶パネル等の透過型表示パネルを配置し、ファインダ視野範囲内に各種の情報を表示するように構成された光学ファインダユニットが知られている（例えば、特許文献１参照）。
【０００３】
特許文献１に記載された光学ファインダユニットは、被写体の正立像を形成する第１プリズム及び第２プリズムと、液晶パネルと、ファインダ視野範囲を規定する視野枠部材とを備えている。液晶パネルは視野枠部材に保持され、表示パネルを保持した視野枠部材は第１プリズムと第２プリズムとの間に配置されて第２プリズムの所定箇所に固定されている。
【０００４】
視野枠部材は、例えばリン青銅等の金属や樹脂などの弾性を有する材料からなり、液晶パネルの一方の表面の縁部を覆う枠部と、枠部に延設されて液晶パネルの他方の表面の縁部を枠部との間に挟み込む複数の腕部とを有している。
【０００５】
液晶パネルは、視野枠部材の枠部と複数の腕部との間で弾性的に挟持され、第１プリズムと第２プリズムとの間の光路と交差する方向に移動可能に視野枠部材に保持されており、液晶パネルの中心が視野枠部材の枠部の開口の中心に一致するように移動される。それにより、ファインダ視野範囲における液晶パネルの位置、つまりは液晶パネルに表示される各種の情報の位置が調整される。
【先行技術文献】
【特許文献】
【０００６】
【特許文献１】特開２０００−３３０１５８号公報
【発明の概要】
【発明が解決しようとする課題】
【０００７】
液晶パネルは、一般に、マザーガラス上にＴＦＴ（Thin Film Transistor：薄膜トランジスタ）や配線などを含む駆動回路が形成されたアレイ基板と、カラーフィルタ層が形成されたカラーフィルタ基板とを張り合わせて、これを適宜なサイズに切断して製造される。そのため、液晶パネルのエッジは、硬質なガラスで構成され、鋭利である。
【０００８】
特許文献１に記載された光学ファインダユニットでは、第２プリズムの所定箇所に固定される視野枠部材に対して液晶パネルを移動させることによって液晶パネルの位置調整がなされているが、液晶パネルと、この液晶パネルを保持する視野枠部材との摺接に伴って、液晶パネルのエッジの欠けや液晶パネルのエッジによる視野枠部材の切削が生じ、塵が発生する虞がある。
【０００９】
特に特許文献１に記載された光学ファインダユニットでは、ファインダユニットに入射する光が第１プリズムと第２プリズムとの間で結像し、この像が接眼レンズ等で拡大して観察されるが、第１プリズムと第２プリズムとの間にあって結像面近傍に配置された液晶パネルの表面に塵が付着してしまうと、これらの塵もまた拡大されて観察されることになり、撮像装置の使用間を損ねることになる。
【００１０】
本発明は、上述した事情に鑑みなされたものであり、その目的は、透過型表示パネルを光路に備える光学ファインダユニットにおいて、表示パネルの位置調整に伴う塵の発生を抑制することにある。
【課題を解決するための手段】
【００１１】
（１）  被写体の正立像を形成する第１プリズム部と第２プリズム部との間に透過型表示パネルが配置される光学ファインダユニットの製造方法であって、上記透過型表示パネルを保持体によって保持し、上記第１プリズム部と上記第２プリズム部との間で上記透過型表示パネルを保持した上記保持体を挟持して、上記透過型表示パネルと上記第１プリズム部及び上記第２プリズム部との非接触を維持し、上記第１プリズムと上記第２プリズムとの間で挟持された上記保持体を移動して上記透過型表示パネルの位置を調整し、上記透過型表示パネルの位置の調整が済んだ後に、この透過型表示パネルを上記第１プリズム部及び上記第２プリズム部のうち一方のプリズム部に固定する光学ファインダユニットの製造方法。
（２）  被写体の正立像を形成する第１プリズム部と第２プリズム部と、上記第１プリズム部と上記第２プリズム部との間に配置される透過型表示パネルと、上記透過型表示パネルを保持し、上記第１プリズム部と上記第２プリズム部との間で移動可能に挟持された保持体と、を備え、上記第１プリズム部及び上記第２プリズム部のうちの一方のプリズム部と、上記保持体とには、互いに係合してこの保持体の移動範囲を規制する規制部が設けられており、上記透過型表示パネルは、上記第１プリズム部及び上記第２プリズム部に対して所定の相対位置関係に調整された状態で、上記一方のプリズム部に固定されている光学ファインダユニット。
【発明の効果】
【００１２】
本発明によれば、塵の発生を抑制して表示パネルの位置調整を行うことができる。
【図面の簡単な説明】
【００１３】
【図１】本発明の実施形態を説明するための、撮像装置の一例の構成を示す図である。
【図２】図１の撮像装置の機能ブロックを示す図である。
【図３】図１の撮像装置に設けられた光学ファインダユニットに収納されるファインダ光学系の構成を示す図である。
【図４】図３のファインダ光学系を収納した光学ファインダユニットの構成を示す図である。
【図５】図４において破線円Ｖによって囲まれた部分を拡大して示す図である。
【図６】図４の光学ファインダユニットに設けられる透過型表示パネルの保持体の構成を示す図である。
【図７】図６の保持体の移動範囲を規制する規制部の構成を示す図である。
【図８】図７において破線円ＶＩＩＩによって囲まれた部分を拡大して示す図である。
【図９】図６の保持体の変形例の構成を示す図である。
【図１０】本発明の実施形態を説明するための、撮像装置の他の例の構成を示す図である。
【図１１】図１０の撮像装置の機能ブロックを示す図である。
【発明を実施するための形態】
【００１４】
図１は、本発明の実施形態を説明するための、撮像装置の一例の構成を示す。
【００１５】
図１に示す撮像装置としてのデジタルカメラ１は、撮像光学系１０を収納した鏡筒２と、ファインダ光学系１１を収納した光学ファインダユニット３と、を備えている。撮像光学系１０の対物レンズは筐体４の正面略中央部に配置されている。一方、ファインダ光学系１１の対物レンズは、筐体４の正面右上隅部に配置されており、撮像光学系１０の対物レンズの光軸から外れて配置されている。
【００１６】
図２は、デジタルカメラ１の機能ブロックを示す。
【００１７】
デジタルカメラ１は、撮像光学系１０の結像面に配置された、例えばＣＭＯＳイメージセンサ等の固体撮像素子１２と、固体撮像素子１２から取り込んだアナログの画像信号をデジタル画像データに変換し、補間処理やホワイトバランス補正などの画像処理を行うデジタル信号処理部１３と、画像データを例えばＪＰＥＧ形式などの画像データに圧縮したり逆に伸長したりする圧縮／伸長処理部１４と、画像データに基づく画像やメニューなどを表示する表示部１５と、フレームメモリ等の内部メモリ１６と、ＪＰＥＧ画像データ等を格納する記録メディア１７との間のインタフェース処理を行うメディアインタフェース（Ｉ／Ｆ）部１８と、デジタルカメラ１の全体の動作を統括制御する制御部（ＣＰＵ）１９と、これらを相互に接続するバス２０とを備えている。また、ＣＰＵ１９には、ユーザからの指示入力を行う操作部２１が接続されている。
【００１８】
さらに、デジタルカメラ１は、光学ファインダユニット３に設けられ、例えばフォーカスエリアやシャッタースピードや絞り値などの各種の情報をファインダ視野範囲内に表示する透過型表示パネル２２を備えている。透過型表示パネル２２は、バス２０に接続されており、ＣＰＵ１９によって表示制御される。透過型表示パネル２２としては、例えば液晶パネル等が用いられる。
【００１９】
図３は、ファインダ光学系１１の構成を示す。
【００２０】
ファインダ光学系１１は、対物レンズ群３０と、接眼レンズ群３１と、対物レンズ群３０に入射した光束を接眼レンズ群３１に導き、且つ正立像を形成する第１プリズム３２及び第２プリズム３３とを含んで構成されている。対物レンズ群３０は、第１プリズム３２と第２プリズム３３との間で、この対物レンズ群３０に入射した光束を結像させる。接眼レンズ群３１は、この像を、観察に適した大きさに拡大する。
【００２１】
上記の透過型表示パネル２２は、対物レンズ群３０の結像位置又はその近傍に設けられ、第１プリズム３２と第２プリズム３３との間に配置されている。透過型表示パネル２２に表示される各種の情報は、対物レンズ群３０に入射した光束の像に重畳され、接眼レンズ群３１を介して拡大されて観察される。
【００２２】
図４及び図５は光学ファインダユニット３の構成を示す。
【００２３】
光学ファインダユニット３は、第１ケース４０に第１プリズム３２及び対物レンズ群３０を収納してなる第１プリズム部と、第２ケース４１に第２プリズム３３及び接眼レンズ群３１を収納してなる第２プリズム部と、透過型表示パネル２２を保持した保持体４２とを備えている。
【００２４】
第１ケース４０と第２ケース４１とは、第１プリズム３２の光出射面と第２プリズム３３の光入射面を対向させて互いに組み付けられる。第１プリズム３２の光出射面を露呈させている第１ケース４０の側面の左右の縁部には複数の被係止部４３が設けられており、また、第２プリズム３３の光入射面を露呈させている第２ケース４１の側面の縁部には、被係止部４３の各々に係合する複数の係止爪４４が設けられている。第１ケース４０と第２ケース４１とは、これらの被係止部４３及び係止爪４４を係合させることによって、分離可能に互いに組み付けられている。
【００２５】
互いに組み付けられた第１ケース４０と第２ケース４１との間にはスペースが空けられ、保持体４２はこのスペースに配置され、第１ケース４０と第２ケース４１との間で挟持されている。保持体４２に保持された透過型表示パネル２２もまた、第１プリズム３２と第２プリズム３３との間に配置される。
【００２６】
そして、第１ケース４０と第２ケース４１との間で挟持された保持体４２は、保持体４２を挟み込む両ケース４０，４１の対向側面に沿って、第１ケース４０と第２ケース４１との間を通過する光束と交差する方向に並進移動可能に、且つこの光束の光軸まわりに回転可能に支持される。
【００２７】
第１ケース４０と第２ケース４１との間には、保持体４２を収容するスペースに連通し、保持体４２の上縁部を露呈させる開口部４５が設けられている。
【００２８】
図６は、保持体４２の構成を示す。
【００２９】
保持体４２は、第２ケース４１側に向く透過型表示パネル２２の第１表面の縁部を覆う第１被覆部５０と、第１ケース４０側に向く透過型表示パネル２２の第２表面の縁部を覆う第２被覆部とを有している。
【００３０】
透過型表示パネル２２の第１表面には、撮像光学系１０及び固体撮像素子１２によって撮像される画像範囲を示す略矩形状の枠線５１が形成されている。枠線５１は、例えば透過型表示パネル２２の第１表面を形成するガラス板にクロム等の金属を蒸着して形成される。第１被覆部５０は、枠線５１によって囲まれる透過型表示パネル２２の略中央部の表示領域を露呈させる開口を有する略矩形状の枠として形成されている。
【００３１】
第２被覆部は、４つの弾性片５２によって構成されており、これらの弾性片５２は、第１被覆部５０の四隅から左右方向に延設され、第１被覆部５０との間に透過型表示パネル２２の厚みよりも小さい隙間をあけて第１被覆部５０に重なるように折り曲げられている。
【００３２】
上記の第１被覆部５０及び第２被覆部としての４つの弾性片５２を有する保持体４２は、例えばリン青銅やステンレスなどの弾性を有する金属板を用いて、プレス加工等によって一体に形成することができる。
【００３３】
各弾性片５２は、透過型表示パネル２２の側面を跨いで第１表面から第２表面に及び、透過型表示パネル２２の縁部を表裏から挟持する。保持体４２は、４つの弾性片５２によって透過型表示パネル２２の四隅を抱え込んで透過型表示パネル２２を保持する。
【００３４】
このようにして透過型表示パネル２２を保持した保持体４２が第１ケース４０と第２ケース４１との間で挟持された際、透過型表示パネル２２と第１ケース４０との間には保持体４２の４つの弾性片５２が介在し、また、透過型表示パネル２２と第１ケース４０との間には保持体４２の第１被覆部５０が介在することとなる。よって、透過型表示パネル２２は、第１ケース４０及び第２ケース４１に対して非接触となる。そして、透過型表示パネル２２は、第１ケース４０と第２ケース４１との間で保持体４２が移動されるのに伴い、第１ケース４０及び第２ケース４１との非接触を維持して、保持体４２と一体に移動する。
【００３５】
なお、透過型表示パネル２２と第１ケース４０及び第２ケース４１とを非接触に保つうえで、透過型表示パネル２２の両表面を覆う保持体４２の第１被覆部及び第２被覆部は、保持体４２を挟み込む第１ケース４０及び第２ケース４１の各々の対向側面に対して平行な平面を定めることができれば足り、その観点では透過型表示パネル２２の各表面の少なくとも３箇所を覆うものであれば足りる。ただし、本例のように、第１被覆部５０を矩形枠として形成し、第２被覆部を４つの弾性片５２によって構成して、透過型表示パネル２２の四隅を抱え込むことが好ましい。それによれば、特に鋭利な透過型表示パネル２２の四隅を覆うことができ、透過型表示パネル２２のエッジの欠け等を確実に防止することができる。
【００３６】
保持体４２は、さらに、第１ケース４０と第２ケース４１との間で保持体４２を移動させる際に操作される操作部５３と、保持体４２の移動範囲を規制する規制部とを有している。
【００３７】
操作部５３は、タブ片として形成されており、第１被覆部５０の上縁から上方向に延設されている。操作部５３は、保持体４２が第１ケース４０と第２ケース４１との間で挟持された状態で、第１ケース４０と第２ケース４１との間に形成される開口部４５（図４参照）に突出し、外部からの保持体４２に対する操作を提供する。
【００３８】
規制部は、詳細は後述するが、第１ケース４０と第２ケース４１との間で移動される保持体４２の移動範囲を規制するものである。この規制部は４つの係合片５４によって構成されており、これらの係合片５４は、第１被覆部５０の四隅から上下方向に延設され、第１ケース４０の上下面に重なるように折り曲げられ、第１ケース４０に係合する。なお、本例では、規制部を構成する４つの係合片５４は第１ケース４０に係合するが、第２ケース４１に係合する構成とすることもできる。
【００３９】
図７及び図８は、保持体４２の係合片５４と共に保持体４２の移動範囲を規制する第１ケース４０の規制部の構成を示す。
【００４０】
第１ケース４０には、保持体４２の４つの係合片５４に係合して保持体４２の移動範囲を規制する規制部が設けられている。この規制部は、４つの係合片５４が重なる第１ケース４０の上下面に形成され、これらの係合片５４に係合する４つのガイド突起５５と、第１ケース４０の上面を覆う押さえ板５６によって構成されている。
【００４１】
ガイド突起５５は、第２ケース４１との間に保持体４２を挟み込む第１ケース４０の側面と平行に上下方向（ｙ方向）に延在している。係合片５４の先端部には係合孔５７が形成されており、係合片５４は、この係合孔５７にガイド突起５５を収容してガイド突起５５に係合する。そして、係合片５４は、押さえ板５６によって押し止められて、ガイド突起５５からの抜けを阻止される。そこで、保持体４２は、ガイド突起５５の長さＬだけｙ方向に並進移動可能とされる。
【００４２】
また、係合孔５７は、第２ケース４１との間に保持体４２を挟み込む第１ケース４０の側面と平行に且つガイド突起５５の延在方向（ｙ方向）と直交する方向（ｘ方向）の幅寸法においてガイド突起５５よりも幅広に形成されており、係合孔５７の内縁とガイド突起５５との間には隙間Ｇがあけられている。そこで、保持体４２は隙間Ｇだけｘ方向に並進移動可能とされ、さらに第１ケース４０と第２ケース４１との間を通過する光束の光軸まわりに回転移動可能とされる。
【００４３】
以上の構成を備える光学ファインダユニット３では、撮像光学系１０の対物レンズとファインダ光学系１１の対物レンズとの位置の違いに起因するパララックスを解消すべく、透過型表示パネル２２の位置調整がなされる。
【００４４】
具体的には、透過型表示パネル２２には、撮像光学系１０及び固体撮像素子１２によって撮像される画像範囲を示す略矩形状の枠線５１が形成されており、枠線５１は、光学ファインダユニット３の対物レンズ群３０に入射した光束の像に重畳されて観察される。この枠線５１によって囲まれる像範囲が撮像光学系１０及び固体撮像素子１２によって撮像される画像範囲に略一致するように、透過型表示パネル２２を保持する保持体４２を移動させることによって、透過型表示パネル２２の位置調整がなされる。
【００４５】
透過型表示パネル２２の位置調整では、まず、透過型表示パネル２２を保持した保持体４２を、第１ケース４０と第２ケース４１との間のスペースに配置し、第１ケース４０と第２ケース４１とを互いに組み付ける。それにより、保持体４２は、第１ケース４０と第２ケース４１との間で移動可能に挟持される。
【００４６】
続いて、第１ケース４０と第２ケース４１との間の開口部４５に配置された保持体４２の操作部５３を適宜な治具を用いて操作し、保持体４２を移動させる。ここで、保持体４２に保持された透過型表示パネル２２は、上述の通り、第１ケース４０及び第２ケース４１に対して非接触を維持して保持体４２と一体に移動する。それにより、透過型表示パネル２２と第１ケース４０及び第２ケース４１との摺接に伴う塵の発生が防止される。
【００４７】
透過型表示パネル２２の枠線５１によって囲まれる像範囲が撮像光学系１０及び固体撮像素子１２によって撮像される画像範囲に略一致した状態が得られた後、透過型表示パネル２２を、保持体４２の４つの係合片５４が係合する第１ケース４０に対して固定する。透過型表示パネル２２の第１ケース４０への固定には、例えば接着剤を好適に用いることができる。接着固定によれば、透過型表示パネル２２に外力をかけずに透過型表示パネル２２を第１ケース４０に固定することができる。
【００４８】
そして、透過型表示パネル２２の固定が済んだ後、透過型表示パネル２２の表面に付着物が観察される場合には、開口部４５を通して透過型表示パネル２２の表面にエアを吹き付けることによって、透過型表示パネル２２の表面に付着している付着物を除去する。エアの吹き付けによっても除去できない付着物は、第１ケース４０及び第２ケース４１を分離して透過型表示パネル２２の表面を露呈させ、ブラシ等を用いて除去する。透過型表示パネル２２は第１ケース４０に対して固定されているので、第１ケース４０及び第２ケース４１を分離しても、透過型表示パネル２２の再度の位置調整は不要である。
【００４９】
透過型表示パネル２２の表面の付着物の除去が済んだ後、例えば防塵テープ等を用いて開口部４５を封止して、光学ファインダユニット３の組み立てを完了する。
【００５０】
このように、本光学ファインダユニット３では、塵の発生を抑制して透過型表示パネル２２の位置調整を行うことができる。また、仮に透過型表示パネル２２の表面に付着物があっても、これを容易に除去することができる。それにより、良好なファインダ視野を得ることができる。
【００５１】
なお、上述した光学ファインダユニット３では、デジタルカメラ１の筐体４とは別のケース４０，４１に、対物レンズ群３０並びに第１プリズム３２、及び接眼レンズ群３１並びに第２プリズム３３をそれぞれ収納し、これらの光学素子を収納した両ケース４０，４１を筐体４に装着するものとして説明したが、これらの光学素子を収納する収納部を筐体４に一体に形成し、両ケース４０，４１を省略してもよい。
【００５２】
また、上述した光学ファインダユニット３では、第１ケース４０と第２ケース４１との対向側面間で保持体４２を挟持するものとして説明したが、両ケース４０，４１を省略する場合等には、保持体４２を挟持する対向面を第１プリズム３２及び第２プリズム３３に設けてもよい。その場合には、保持体４２の移動範囲を規制する規制部（ガイド突起５５）を第１プリズム３２又は第２プリズム３３に設け、透過型表示パネル２２を第１プリズム３２又は第２プリズム３３に固定すればよい。
【００５３】
図９は、上述した保持体４２の変形例の構成を示す。
【００５４】
図９に示す保持体１４２は、透過型表示パネル２２の全ての側面を覆うように構成されている点で、上述した保持体４２と相違している。
【００５５】
保持体１４２は、略矩形の枠として形成された第１被覆部５０と、第１被覆部５０の左右の縁から延設された２つの弾性片５２と、第１被覆部５０の上下の縁から延設された２つの蓋片５５とを備えている。各弾性片５２は、第１被覆部５０との間に透過型表示パネル２２の厚みよりも小さい隙間をあけて第１被覆部５０に重なるように折り曲げられて形成され、透過型表示パネル２２の縁部を表裏から挟持する。そして、２つの弾性片５２及び２つの蓋片５５は、透過型表示パネル２２の四方の全ての側面を覆っている。
【００５６】
本保持体１４２によれば、鋭利な透過型表示パネル２２の全てのエッジを覆うことができ、透過型表示パネル２２のエッジの欠け等を確実に防止することができる。
【００５７】
以上の説明では、撮影装置の一例として、デジタルカメラ１について説明したが、撮像装置はこれに限定されない。その他の撮像装置としては、例えば、内蔵型又は外付け型のＰＣ用カメラ、或いは撮影機能を有する携帯端末装置とすることができる。そして、携帯端末装置としては、例えば、携帯電話機やスマートフォン、ＰＤＡ(Personal Digital Assistants)、携帯型ゲーム機が挙げられる。
【００５８】
図１０は、本発明の実施形態を説明するための撮像装置の他の例の構成を示す。
【００５９】
図１０に示す撮像装置としてのスマートフォン２００は、平板状の筐体２０１を有し、筐体２０１の一方の面に表示部としての表示パネル２０２と、入力部としての操作パネル２０３とが一体となった表示入力部２０４を備えている。また、この様な筐体２０１は、スピーカ２０５と、マイクロホン２０６、操作部２０７と、カメラ部２０８とを備えている。
【００６０】
図示するカメラ部２０８の撮影レンズは、自分撮り用（テレビ電話用）の撮影レンズを図示しているが、主カメラの撮影レンズは、スマートフォン２００の背面側に設けられている。この主カメラで被写体を撮影する場合、表示パネル２０２に被写体画像を表示させて被写体構図を確認しても良いが、図１〜図８で説明した光学ファインダユニット３を設け、この光学ファインダユニット３を通して被写体の構図を確認できるようにしている。光学ファインダユニット３の構成は上述した通りであるので、その説明は省略する。
【００６１】
なお、筐体２０１の構成はこれに限定されず、例えば、表示部と入力部とが独立した構成を採用したり、折り畳み構造やスライド機構を有する構成を採用することもできる。
【００６２】
図１１は、スマートフォン２００の機能ブロックを示す。
【００６３】
スマートフォンの主たる構成要素として、無線通信部２１０と、表示入力部２０４と、通話部２１１と、操作部２０７と、カメラ部２０８と、記憶部２１２と、外部入出力部２１３と、ＧＰＳ(Global Positioning System)受信部２１４と、モーションセンサ部２１５と、電源部２１６と、主制御部２２０と、光学ファインダユニット３の透過型表示パネル２２とを備える。また、スマートフォン２００の主たる機能として、図示省略の基地局装置ＢＳと図示省略の移動通信網ＮＷとを介した移動無線通信を行う無線通信機能を備える。
【００６４】
無線通信部２１０は、主制御部２２０の指示にしたがって、移動通信網ＮＷに収容された基地局装置ＢＳに対し無線通信を行うものである。この無線通信を使用して、音声データ、画像データ等の各種ファイルデータ、電子メールデータなどの送受信や、Ｗｅｂデータやストリーミングデータなどの受信を行う。
【００６５】
表示入力部２０４は、主制御部２２０の制御により、画像（静止画像および動画像）や文字情報などを表示して視覚的にユーザに情報を伝達するとともに、表示した情報に対するユーザ操作を検出する、いわゆるタッチパネルであって、表示パネル２０２と、操作パネル２０３とを備える。
【００６６】
表示パネル２０２は、LCD(Liquid Crystal Display)、OELD(Organic Electro-Luminescence Display)などを表示デバイスとして用いたものである。操作パネル２０３は、表示パネル２０２の表示面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部２２０に出力する。次いで、主制御部２２０は、受信した検出信号に基づいて、表示パネル２０２上の操作位置（座標）を検出する。
【００６７】
図１０に示すように、スマートフォン２００の表示パネル２０２と操作パネル２０３とは一体となって表示入力部２０４を構成しているが、操作パネル２０３が表示パネル２０２を完全に覆うような配置となっている。係る配置を採用した場合、操作パネル２０３は、表示パネル２０２外の領域についても、ユーザ操作を検出する機能を備えてもよい。換言すると、操作パネル２０３は、表示パネル２０２に重なる重畳部分についての検出領域（以下、表示領域と称する）と、それ以外の表示パネル２０２に重ならない外縁部分についての検出領域（以下、非表示領域と称する）とを備えていてもよい。
【００６８】
なお、表示領域の大きさと表示パネル２０２の大きさとを完全に一致させても良いが、両者を必ずしも一致させる必要は無い。また、操作パネル２０３が、外縁部分と、それ以外の内側部分の２つの感応領域を備えていてもよい。更に、外縁部分の幅は、筐体２０１の大きさなどに応じて適宜設計されるものである。更にまた、操作パネル２０３で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００６９】
通話部２１１は、スピーカ２０５やマイクロホン２０６を備え、マイクロホン２０６を通じて入力されたユーザの音声を主制御部２２０にて処理可能な音声データに変換して主制御部２２０に出力したり、無線通信部２１０あるいは外部入出力部２１３により受信された音声データを復号してスピーカ２０５から出力するものである。また、図１０に示すように、例えば、スピーカ２０５を表示入力部２０４が設けられた面と同じ面に搭載し、マイクロホン２０６を筐体２０１の側面に搭載することができる。
【００７０】
操作部２０７は、キースイッチなどを用いたハードウェアキーであって、ユーザからの指示を受け付けるものである。例えば、図１０に示すように、操作部２０７は、スマートフォン２００の筐体２０１の側面に搭載され、指などで押下されるとオンとなり、指を離すとバネなどの復元力によってオフ状態となる押しボタン式のスイッチである。
【００７１】
記憶部２１２は、主制御部２２０の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部２１２は、スマートフォン内蔵の内部記憶部２１７と着脱自在な外部メモリスロットを有する外部記憶部２１８により構成される。なお、記憶部２１２を構成するそれぞれの内部記憶部２１７と外部記憶部２１８は、フラッシュメモリタイプ（flash memory type）、ハードディスクタイプ（hard disk type）、マルチメディアカードマイクロタイプ（multimedia card micro type）、カードタイプのメモリ（例えば、ＭｉｃｒｏＳＤ（登録商標）メモリ等）、ＲＡＭ（Random Access Memory）、ＲＯＭ（Read Only Memory）などの格納媒体を用いて実現される。
【００７２】
外部入出力部２１３は、スマートフォン２００に連結される全ての外部機器とのインターフェースの役割を果たすものであり、他の外部機器に通信等（例えば、ユニバーサルシリアルバス（ＵＳＢ）、IEEE１３９４など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【００７３】
スマートフォン２００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、有／無線接続されるパーソナルコンピュータ、イヤホンなどがある。外部入出力部２１３は、このような外部機器から伝送を受けたデータをスマートフォン２００の内部の各構成要素に伝達することや、スマートフォン２００の内部のデータが外部機器に伝送されるようにすることができる。
【００７４】
ＧＰＳ受信部２１４は、主制御部２２０の指示にしたがって、ＧＰＳ衛星ＳＴ１〜ＳＴｎから送信されるＧＰＳ信号を受信し、受信した複数のＧＰＳ信号に基づく測位演算処理を実行し、当該スマートフォン２００の緯度、経度、高度からなる位置を検出する。ＧＰＳ受信部２１４は、無線通信部２１０や外部入出力部２１３（例えば、無線ＬＡＮ）から位置情報を取得できる時には、その位置情報を用いて位置を検出することもできる。
【００７５】
モーションセンサ部２１５は、例えば、３軸の加速度センサなどを備え、主制御部２２０の指示にしたがって、スマートフォン２００の物理的な動きを検出する。スマートフォン２００の物理的な動きを検出することにより、スマートフォン２００の動く方向や加速度が検出される。係る検出結果は、主制御部２２０に出力されるものである。
【００７６】
電源部２１６は、主制御部２２０の指示にしたがって、スマートフォン２００の各部に、バッテリ（図示しない）に蓄えられる電力を供給するものである。
【００７７】
主制御部２２０は、マイクロプロセッサを備え、記憶部２１２が記憶する制御プログラムや制御データにしたがって動作し、スマートフォン２００の各部を統括して制御するものである。また、主制御部２２０は、無線通信部２１０を通じて、音声通信やデータ通信を行うために、通信系の各部を制御する移動通信制御機能と、アプリケーション処理機能を備える。
【００７８】
アプリケーション処理機能は、記憶部２１２が記憶するアプリケーションソフトウェアにしたがって主制御部２２０が動作することにより実現するものである。アプリケーション処理機能としては、例えば、外部入出力部２１３を制御して対向機器とデータ通信を行う赤外線通信機能や、電子メールの送受信を行う電子メール機能、Webページを閲覧するWebブラウジング機能などがある。
【００７９】
また、主制御部２２０は、受信データやダウンロードしたストリーミングデータなどの画像データ（静止画像や動画像のデータ）に基づいて、映像を表示入力部２０４に表示する等の画像処理機能を備える。画像処理機能とは、主制御部２２０が、上記画像データを復号し、この復号結果に画像処理を施して、画像を表示入力部２０４に表示する機能のことをいう。
【００８０】
更に、主制御部２２０は、表示パネル２０２に対する表示制御と、操作部２０７、操作パネル２０３を通じたユーザ操作を検出する操作検出制御を実行する。表示制御の実行により、主制御部２２０は、アプリケーションソフトウェアを起動するためのアイコンや、スクロールバーなどのソフトウェアキーを表示したり、あるいは電子メールを作成するためのウィンドウを表示する。なお、スクロールバーとは、表示パネル２０２の表示領域に収まりきれない大きな画像などについて、画像の表示部分を移動する指示を受け付けるためのソフトウェアキーのことをいう。
【００８１】
また、操作検出制御の実行により、主制御部２２０は、操作部２０７を通じたユーザ操作を検出したり、操作パネル２０３を通じて、上記アイコンに対する操作や、上記ウィンドウの入力欄に対する文字列の入力を受け付けたり、あるいは、スクロールバーを通じた表示画像のスクロール要求を受け付ける。
【００８２】
更に、操作検出制御の実行により主制御部２２０は、操作パネル２０３に対する操作位置が、表示パネル２０２に重なる重畳部分（表示領域）か、それ以外の表示パネル２０２に重ならない外縁部分（非表示領域）かを判定し、操作パネル２０３の感応領域や、ソフトウェアキーの表示位置を制御するタッチパネル制御機能を備える。
【００８３】
また、主制御部２２０は、操作パネル２０３に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００８４】
カメラ部２０８は、ＣＭＯＳ(Complementary Metal Oxide Semiconductor)やＣＣＤ(Charge-Coupled Device)などの撮像素子を用いて電子撮影するデジタルカメラである。また、カメラ部２０８は、主制御部２２０の制御により、撮像によって得た画像データを例えばＪＰＥＧ(Joint Photographic coding Experts Group)などの圧縮した画像データに変換し、記憶部２１２に記録したり、入出力部２１３や無線通信部２１０を通じて出力することができる。
【００８５】
また、カメラ部２０８はスマートフォン２００の各種機能に利用することができる。例えば、表示パネル２０２にカメラ部２０８で取得した画像を表示することや、操作パネル２０３の操作入力のひとつとして、カメラ部２０８の画像を利用することができる。また、ＧＰＳ受信部２１４が位置を検出する際に、カメラ部２０８からの画像を参照して位置を検出することもできる。更には、カメラ部２０８からの画像を参照して、３軸の加速度センサを用いずに、或いは、３軸の加速度センサと併用して、スマートフォン２００のカメラ部２０８の光軸方向を判断することや、現在の使用環境を判断することもできる。勿論、カメラ部２０８からの画像をアプリケーションソフトウェア内で利用することもできる。
【００８６】
その他、静止画又は動画の画像データにＧＰＳ受信部２１４により取得した位置情報、マイクロホン２０６により取得した音声情報（主制御部等により、音声テキスト変換を行ってテキスト情報となっていてもよい）、モーションセンサ部２１５により取得した姿勢情報等などを付加して記録部２１２に記録したり、入出力部２１３や無線通信部２１０を通じて出力することもできる。
【００８７】
以上、説明したように、本明細書には、下記の事項が開示されている。
【００８８】
（１）  被写体の正立像を形成する第１プリズム部と第２プリズム部との間に透過型表示パネルが配置される光学ファインダユニットの製造方法であって、上記透過型表示パネルを保持体によって保持し、上記第１プリズム部と上記第２プリズム部との間で上記透過型表示パネルを保持した上記保持体を挟持して、上記透過型表示パネルと上記第１プリズム部及び上記第２プリズム部との非接触を維持し、上記第１プリズムと上記第２プリズムとの間で挟持された上記保持体を移動して上記透過型表示パネルの位置を調整し、上記透過型表示パネルの位置の調整が済んだ後に、この透過型表示パネルを上記第１プリズム部及び上記第２プリズム部のうち一方のプリズム部に固定する光学ファインダユニットの製造方法。
（２）  （１）に記載の光学ファインダユニットの製造方法であって、上記保持体によって上記透過型表示パネルの表裏各面の縁部の少なくとも３箇所を覆う光学ファインダユニットの製造方法。
（３）  （１）又は（２）に記載の光学ファインダユニットの製造方法であって、上記保持体によって上記透過型表示パネルの全ての側面を覆う光学ファインダユニットの製造方法。
（４）  （１）から（３）のいずれか一項に記載の光学ファインダユニットの製造方法であって、上記透過型表示パネルが固定される上記一方のプリズム部と、上記保持体とには、互いに係合してこの保持体の移動範囲を規制する規制部が設けられており、上記規制部が係合した状態でこの保持体を移動させて上記透過型表示パネルの位置を調整する光学ファインダユニットの製造方法。
（５）  （１）から（４）のいずれか一項に記載の光学ファインダユニットの製造方法であって、上記第１プリズム部と上記第２プリズム部との間には、上記保持体の縁部の少なくとも一部を露呈させる開口が設けられ、上記保持体には、上記開口に突出する操作部が設けられており、上記操作部を操作することによって上記保持体を移動させて上記透過型表示パネルの位置を調整する光学ファインダユニットの製造方法。
（６）  （５）に記載の光学ファインダユニットの製造方法であって、上記透過型表示パネルの位置の調整が済んだ後に、上記開口を通してエアを吹き付けて上記透過型表示パネルの表裏面の付着物を除去する光学ファインダユニットの製造方法。
（７）  （１）から（６）のいずれか一項に記載の光学ファインダユニットの製造方法であって、上記第１プリズム部及び上記第２プリズム部は、分離可能に互いに組み付けられており、上記保持体の固定が済んだ後に、上記第１プリズム部及び上記第２プリズム部を分離して上記透過型表示パネルの表裏面の付着物を除去する光学ファインダユニットの製造方法。
（８）  （１）から（７）のいずれか一項に記載の光学ファインダユニットの製造方法であって、上記保持体は、弾性を有する金属板からなり、上記透過型表示パネルの側面を跨いでこの透過型表示パネルの表裏両面に及んでおり、上記保持体により、上記透過型表示パネルを表裏から挟持してこの透過型表示パネルを保持する光学ファインダユニットの製造方法。
（９）  （８）に記載の光学ファインダユニットの製造方法であって、上記保持体により、上記透過型表示パネルの少なくとも四隅を表裏から挟持してこの透過型表示パネルを保持する光学ファインダユニットの製造方法。
（１０）  （１）から（９）のいずれか一項に記載の光学ファインダユニットの製造方法であって、上記透過型表示パネルを上記一方のプリズム部に接着固定する光学ファインダユニットの製造方法。
（１１）  （１）から（１０）のいずれか一項に記載の光学ファインダユニットの製造方法によって製造された光学ファインダユニットを備えた撮像装置。
（１２）  被写体の正立像を形成する第１プリズム部と第２プリズム部と、上記第１プリズム部と上記第２プリズム部との間に配置される透過型表示パネルと、上記透過型表示パネルを保持し、上記第１プリズム部と上記第２プリズム部との間で移動可能に挟持された保持体と、を備え、上記第１プリズム部及び上記第２プリズム部のうちの一方のプリズム部と、上記保持体とには、互いに係合してこの保持体の移動範囲を規制する規制部が設けられており、上記透過型表示パネルは、上記第１プリズム部及び上記第２プリズム部に対して所定の相対位置関係に調整された状態で、上記一方のプリズム部に固定されている光学ファインダユニット。
（１３）  （１２）に記載の光学ファインダユニットであって、上記保持体は、上記透過型表示パネルの表裏各面の縁部の少なくとも３箇所を覆う光学ファインダユニット。
（１４）  （１２）又は（１３）に記載の光学ファインダユニットであって、上記保持体は、上記透過型表示パネルの全ての側面を覆う光学ファインダユニット。
（１５）  （１２）から（１４）のいずれか一項に記載の光学ファインダユニットであって、上記第１プリズム部と上記第２プリズム部との間には、上記保持体の縁部の少なくとも一部を露呈させる開口が設けられ、上記保持体には、上記開口に突出する操作部が設けられている光学ファインダユニット。
（１６）  （１５）に記載の光学ファインダユニットであって、上記開口は、上記透過型表示パネルの表裏面と上記第１プリズム部及び上記第２プリズム部との間の隙間に連通している光学ファインダユニット。
（１７）  （１２）から（１６）のいずれか一項に記載の光学ファインダユニットであって、上記第１プリズム部及び上記第２プリズム部は、分離可能に互いに組み付けられている光学ファインダユニット。
（１８）  （１２）から（１７）のいずれか一項に記載の光学ファインダユニットであって、上記保持体は、弾性を有する金属板からなり、上記透過型表示パネルの側面を跨いでこの透過型表示パネルの表裏両面に及び、この透過型表示パネルを表裏から挟持する光学ファインダユニット。
（１９）  （１８）に記載の光学ファインダユニットであって、上記保持体は、上記透過型表示パネルの少なくとも四隅を表裏から挟持する光学ファインダユニット。
（２０）  （１２）から（１９）のいずれか一項に記載の光学ファインダユニットであって、上記透過型表示パネルは、上記一方のプリズム部に接着固定されている光学ファインダユニット。
（２１）  （１２）から（２０）のいずれか一項に記載の光学ファインダユニットを備えた撮像装置。
【符号の説明】
【００８９】
１     デジタルカメラ
２     鏡筒
３     光学ファインダユニット
４     筐体
１０   撮像光学系
１１   ファインダ光学系
１２   固体撮像素子
２２   透過型表示パネル
３０   対物レンズ群
３１   接眼レンズ群
３２   第１プリズム
３３   第２プリズム
４０   第１ケース
４１   第２ケース
４２   保持体
４２   保持体
４３   被係止部
４４   係止爪
４５   開口部
５０   第１被覆部
５１   枠線
５２   弾性片（第２被覆部）
５３   操作部
５４   係合片（規制部）
５５   ガイド突起（規制部）
５６   押さえ板（規制部）
【図１】
2014063049.tif 000003
【図２】
2014063049.tif 000004
【図３】
2014063049.tif 000005
【図４】
2014063049.tif 000006
【図５】
2014063049.tif 000007
【図６】
2014063049.tif 000008
【図７】
2014063049.tif 000009
【図８】
2014063049.tif 000010
【図９】
2014063049.tif 000011
【図１０】
2014063049.tif 000012
【図１１】
2014063049.tif 000013